(57)【要約】【課題】任意の時点で、料金計算開始日から末日までの間で利用料金が最も安くなる料金プランを知ることができる最適料金プラン通知システムを提供する。【解決手段】最適プラン算出サーバ１０は、利用者ごとの利用実績情報を記憶する利用情報蓄積サーバ２０から、所定期間における利用者の利用実績を取得する。最適プラン算出サーバ１０は、所定期間における利用実績から、単位日数当たりの通話時間を算出し、これに単位時間当たりの通話料金と料金計算期間の日数とをかけて、料金計算期間における料金を計算する。また、加入者契約管理サーバ３０に、利用者の現在の契約プランを問い合わせ、利用者の契約プランと、計算した料金が最も安くなる料金プランとが一致するか否かを調べる。最適プラン算出サーバ１０は、一致しないときには、利用者に、料金を安くできる料金プランがある旨を通知する。【選択図】図１
2008211437.tif 000002
【特許請求の範囲】
【請求項１】
利用者の所定期間における利用実績情報を取得する実績取得部と、
前記利用者の利用実績情報に基づいて、利用者が選択可能な各料金プランについて、料金計算の開始日から末日までの分の利用料金を計算する料金試算部と、
前記料金試算部が計算した各料金プランでの利用料金を相互に比較し、各料金プランでの利用料金のうちで、利用料金が最も安くなる料金プランを割り出す比較部と、
前記利用料金が最も安くなる料金プランを利用者に通知する通知部とを備えることを特徴とする最適料金プラン通知システム。
【請求項２】
前記料金試算部は、前記利用実績情報から、単位日数当たりの利用状況を計算し、該計算した単位日数当たりの利用状況を用いて、前記料金計算の開始日から末日までの分の利用料金を計算する、請求項１に記載の最適料金プラン通知システム。
【請求項３】
前記所定期間は、利用者の設定により変更可能である、請求項１又は２に記載の最適料金プラン通知システム。
【請求項４】
前記実績取得部は、利用者ごとに利用実績情報を蓄積する利用情報蓄積サーバから、前記利用者の所定期間における利用実績を取得する、請求項１〜３の何れか一に記載の最適料金プラン通知システム。
【請求項５】
前記比較部は、利用者の契約料金プランを管理する加入者契約管理サーバに、前記利用者が契約している料金プランを問い合わせ、該利用者が契約している料金プランと、前記利用料金が最も安くなる料金プランとが一致するか否かを判断する、請求項１〜４の何れか一に記載の最適料金プラン通知システム。
【請求項６】
前記通知部は、前記比較部が、一致しないと判断すると、前記利用者に、現在の契約プランよりも利用料金を安くできる料金プランがある旨を通知する、請求項５に記載の最適料金プラン通知システム。
【請求項７】
前記通知部は、前記比較部が、一致しないと判断すると、前記加入者契約管理サーバに、前記利用者の契約プランを、前記利用料金が最も安くなる料金プランに変更するように指示する、請求項５に記載の最適料金プラン通知システム。
【請求項８】
前記通知部は、前記利用料金が最も安くなる料金プランでの前記料金計算開始日から末日までの分の利用料金を、前記利用者に通知する、請求項１〜７の何れか一に記載の最適料金プラン通知システム。
【請求項９】
前記実績取得部は、利用者からの要求に応答して、前記利用実績情報を取得する、請求項１〜８の何れか一に記載の最適料金プラン通知システム。
【請求項１０】
前記実績取得部は、定期的に、前記利用実績情報を取得する、請求項１〜８の何れか一に記載の最適料金プラン通知システム。
【請求項１１】
コンピュータを用いて、利用者に、料金が最も安くなる料金プランを通知する最適料金プラン通知方法であって、
前記コンピュータが、利用者の所定期間における利用実績情報を取得するステップと、
前記コンピュータが、前記利用者の実績情報に基づいて、利用者が選択可能な各料金プランについて、料金計算開始日から末日までの分の利用料金を計算するステップと、
前記コンピュータが、前記計算した各料金プランでの利用料金を相互に比較し、各料金プランでの利用料金のうちで、利用料金が最も安くなる料金プランを割り出し、該利用料金が最も安くなる料金プランを利用者に通知するステップとを有することを特徴とする最適料金プラン通知方法。
【請求項１２】
前記利用料金を計算するステップでは、前記コンピュータは、前記利用実績情報から、単位日数当たりの利用状況を計算し、該計算した単位日数当たりの利用状況を用いて、前記料金計算の開始日から末日までの分の利用料金を計算する、請求項１１に記載の最適料金プラン通知方法。
【請求項１３】
前記コンピュータは、利用者ごとに利用実績情報を蓄積する利用情報蓄積サーバから、前記利用者の所定期間における利用実績情報を取得する、請求項１１又は１２に記載の最適料金プラン通知方法。
【請求項１４】
前記コンピュータが、利用者の契約料金プランを管理する加入者契約管理サーバに、前記利用者が契約している料金プランを問い合わせ、該利用者が契約している料金プランと、前記利用料金が最も安くなる料金プランとが一致するか否かを判断するステップを更に有する、請求項１１〜１３の何れか一に記載の最適料金プラン通知方法。
【請求項１５】
前記コンピュータは、前記利用者が契約している料金プランと前記利用料金が最も安くなる料金プランとが一致しないと判断すると、前記利用者に、現在の契約プランよりも利用料金を安くできる料金プランがある旨を通知する、請求項１４に記載の最適料金プラン通知方法。
【請求項１６】
前記コンピュータは、前記利用者が契約している料金プランと前記利用料金が最も安くなる料金プランとが一致しないと判断すると、前記加入者契約管理サーバに、前記利用者の契約プランを、前記利用料金が最も安くなる料金プランに変更するように指示する、請求項１４に記載の最適料金プラン通知方法。
【請求項１７】
前記コンピュータは、前記利用料金が最も安くなる料金プランでの前記料金計算開始日から末日までの分の利用料金を、前記利用者に通知する、請求項１１〜１６の何れか一に記載の最適料金プラン通知方法。
【請求項１８】
前記コンピュータは、利用者からの要求に応答して、前記利用実績情報を取得する、請求項１１〜１７の何れか一に記載の最適料金プラン通知方法。
【請求項１９】
前記コンピュータは、定期的に、前記利用実績情報を取得する、請求項１１〜１８の何れか一に記載の最適料金プラン通知方法。
【請求項２０】
コンピュータに、利用者に対して、料金が最も安くなる料金プランを通知する処理を実行させるプログラムであって、前記コンピュータに、
利用者の所定期間における利用実績情報を取得する処理と、
前記利用者の実績情報に基づいて、利用者が選択可能な各料金プランについて、料金計算開始日から末日までの分の利用料金を計算する処理と、
前記計算した各料金プランでの利用料金を相互に比較し、各料金プランでの利用料金のうちで、利用料金が最も安くなる料金プランを割り出し、該利用料金が最も安くなる料金プランを利用者に通知する処理とを実行させることを特徴とするプログラム。
【請求項２１】
前記利用料金を計算する処理では、前記利用実績情報から、単位日数当たりの利用状況を計算し、該計算した単位日数当たりの利用状況を用いて、前記料金計算の開始日から末日までの分の利用料金を計算する、請求項２０に記載のプログラム。
【請求項２２】
前記利用実績情報を取得する処理では、利用者ごとに利用実績情報を蓄積する利用情報蓄積サーバから、前記利用者の所定期間における利用実績情報を取得する、請求項２０又は２１に記載のプログラム。
【請求項２３】
前記コンピュータに、利用者の契約料金プランを管理する加入者契約管理サーバに、前記利用者が契約している料金プランを問い合わせ、該利用者が契約している料金プランと、前記利用料金が最も安くなる料金プランとが一致するか否かを判断する処理を更に実行させる、請求項２０〜２２の何れか一に記載のプログラム。
【請求項２４】
前記利用者が契約している料金プランと前記利用料金が最も安くなる料金プランとが一致するか否かを判断する処理で、両者が一致しないと判断すると、前記コンピュータに、前記利用者に、現在の契約プランよりも利用料金を安くできる料金プランがある旨を通知する処理を実行させる、請求項２３に記載のプログラム。
【請求項２５】
前記利用者が契約している料金プランと前記利用料金が最も安くなる料金プランとが一致するか否かを判断する処理で、両者が一致しないと判断すると、前記コンピュータに、前記加入者契約管理サーバに対して、前記利用者の契約プランを、前記利用料金が最も安くなる料金プランに変更するように指示する処理を実行させる、請求項２３に記載のプログラム。
【請求項２６】
前記利用料金が最も安くなる料金プランを利用者に通知する処理では、該利用料金が最も安くなる料金プランでの前記料金計算開始日から末日までの分の利用料金を、前記利用者に通知する、請求項２０〜２５の何れか一に記載のプログラム。
【請求項２７】
前記利用実績情報を取得する処理を、利用者からの要求に応答して実行させる、請求項２０〜２６の何れか一に記載のプログラム。
【請求項２８】
前記利用実績情報を取得する処理を、定期的に実行させる、請求項２０〜２６の何れか一に記載のプログラム。
【発明の詳細な説明】
【技術分野】
【０００１】
本発明は、最適料金プラン通知システム、方法、及び、プログラムに関し、更に詳しくは、複数の料金プランが選択可能なユーザに、料金が最も安くなる料金プランを通知する最適料金プラン通知システム、方法、及び、プログラムに関する。
【背景技術】
【０００２】
携帯電話では、利用者からの求めに応じて、利用者の料金を表示するサービスが提供されている。携帯電話の利用者は、携帯電話機又はネットワーク接続されたコンピュータから携帯電話会社のサイトにアクセスし、画面上に表示された料金を確認することで、利用状況を確認している。また、携帯電話では複数のプランが用意されており、プランごとに、単位時間当たりの通話料金などが異なっている。利用者は、過去の一定期間内の利用結果を見て、自身が契約している料金プランが適切なものであるかどうかを判断する。また、契約プランを変更する場合には、携帯電話会社の窓口、或いは、携帯電話会社のサイトにて、手続きを行う。
【０００３】
ここで、利用者に、最適料金プランを通知する技術として、特許文献１に記載の技術がある。特許文献１では、料金処理装置は、利用者の通話が終了すると、今回の通話における通話時間と、料金算出の起算日からの積算通話時間とを算出し、利用者の契約プランでの通話料金及び積算通話料金を計算する。また、料金処理装置は、利用者が選択可能な各料金プランにて、通話料金及び積算通話料金を試算する。料金処理装置は、現在利用者が契約している料金プランで計算した積算通話料金と、試算した積算通話料金とを比較し、契約中の料金プランよりも、積算通話料金が安くなる料金プランを発見すると、その料金プランを、利用者に通知する。
【０００４】
【特許文献１】特開２００１−３６６７３号公報
【発明の開示】
【発明が解決しようとする課題】
【０００５】
特許文献１では、契約している料金プランでの、料金計算の起算日から現在までの積算通話料金と、各プランで試算した現在までの積算通話料金とを知ることができる。しかし、特許文献１で利用者が確認することができるのは、料金計算開始日から確認時までの料金、及び、その期間での料金試算結果であり、ひと月まるごとの利用料金ではない。特許文献１では、料金計算の締切日までの利用状況を確認するためには、締切日に利用状況を確認する必要があり、料金試算結果を得てから次の月が始まるまでの時間が短いことから、契約プラン変更の期間を逃してしまうことがあった。また、料金プランは、パケット通信料が含まれるプランや様々なオプションがあり、複雑化しているため、利用者自身が、料金が最も安くなるプランやオプションを選択することは難しくなっている。
【０００６】
本発明は、上記従来技術の問題点を解消し、利用者が、任意の時点で、料金計算開始日から末日までの間で利用料金が最も安くなる料金プランを知ることができる最適料金プラン通知システム、方法、及び、プログラムを提供することを目的とする。
【課題を解決するための手段】
【０００７】
上記目的を達成するために、本発明の最適料金プラン通知システムは、利用者の所定期間における利用実績情報を取得する実績取得部と、前記利用者の利用実績情報に基づいて、利用者が選択可能な各料金プランについて、料金計算の開始日から末日までの分の利用料金を計算する料金試算部と、前記料金試算部が計算した各料金プランでの利用料金を相互に比較し、各料金プランでの利用料金のうちで、利用料金が最も安くなる料金プランを割り出す比較部と、前記利用料金が最も安くなる料金プランを利用者に通知する通知部とを備えることを特徴とする。
【０００８】
本発明の最適料金プラン通知方法は、コンピュータを用いて、利用者に、料金が最も安くなる料金プランを通知する最適料金プラン通知方法であって、前記コンピュータが、利用者の所定期間における利用実績情報を取得するステップと、前記コンピュータが、前記利用者の実績情報に基づいて、利用者が選択可能な各料金プランについて、料金計算開始日から末日までの分の利用料金を計算するステップと、前記コンピュータが、前記計算した各料金プランでの利用料金を相互に比較し、各料金プランでの利用料金のうちで、利用料金が最も安くなる料金プランを割り出し、該利用料金が最も安くなる料金プランを利用者に通知するステップとを有することを特徴とする。
【０００９】
本発明のプログラムは、コンピュータに、利用者に対して、料金が最も安くなる料金プランを通知する処理を実行させるプログラムであって、前記コンピュータに、利用者の所定期間における利用実績情報を取得する処理と、前記利用者の実績情報に基づいて、利用者が選択可能な各料金プランについて、料金計算開始日から末日までの分の利用料金を計算する処理と、前記計算した各料金プランでの利用料金を相互に比較し、各料金プランでの利用料金のうちで、利用料金が最も安くなる料金プランを割り出し、該利用料金が最も安くなる料金プランを利用者に通知する処理とを実行させることを特徴とする。
【００１０】
本発明の最適料金プラン通知システム、方法、及び、プログラムでは、利用者の所定期間における利用実績に基づいて、利用者が選択可能な各料金プランについて、料金計算開始日から末日までの間の利用料金を計算する。過去の利用実績に基づいて、現時点から料金計算期間の末日までの間の利用状況を推測し、それに基づいて料金を計算することで、利用者は、料金計算期間の末日まで待たなくても、各料金プランについて、料金計算期間における利用料金を知ることができる。また、計算された料金が最も安くなる料金プランを利用者に通知することで、利用者は、料金計算期間単位で、利用料金を最も安くできる料金プランを知ることができる。
【００１１】
本発明の最適料金プラン通知システム、方法、及び、プログラムは、利用料金の計算では、前記利用実績情報から、単位日数当たりの利用状況を計算し、該計算した単位日数当たりの利用状況を用いて、前記料金計算の開始日から末日までの分の利用料金を計算する構成を採用できる。例えば、直近の１週間での通話時間の実績に基づいて、１日当たりの通話時間を計算し、それに、単位時間当たりの通話料金と料金計算開始日から末日までの日数とをかけることで、各料金プランについて、料金計算期間での利用者の利用料金を計算する。このようにすることで、利用者は、料金計算期間開始日から現時点までの利用料金でなく、料金計算期間全体での利用料金の推定額を知ることができる。
【００１２】
本発明の最適料金プラン通知システム、方法、及び、プログラムでは、前記所定期間は、利用者の設定により変更可能である構成を採用できる。所定期間としては、例えば、直近の３日間や、１週間、１０日間などが考えられる。
【００１３】
本発明の最適料金プラン通知システム、方法、及び、プログラムは、実績情報の取得では、利用者ごとに利用実績情報を蓄積する利用情報蓄積サーバから、前記利用者の所定期間における利用実績情報を取得する構成を採用できる。利用実績情報としては、通話時間や、データ通信におけるデータ通信量などが考えられる。
【００１４】
本発明の最適料金プラン通知システム、方法、及び、プログラムは、料金比較では、利用者の契約料金プランを管理する加入者契約管理サーバに、前記利用者が契約している料金プランを問い合わせ、該利用者が契約している料金プランと、前記利用料金が最も安くなる料金プランとが一致するか否かを判断する構成を採用できる。
【００１５】
本発明の最適料金プラン通知システム、方法、及び、プログラムでは、比較の結果、利用者が契約している料金プランと利用料金が最も安くなる料金プランとが一致しないと判断すると、前記利用者に、現在の契約プランよりも利用料金を安くできる料金プランがある旨を通知する構成を採用できる。
【００１６】
本発明の最適料金プラン通知システム、方法、及び、プログラムでは、比較の結果、利用者が契約している料金プランと利用料金が最も安くなる料金プランとが一致しないと判断すると、前記加入者契約管理サーバに、前記利用者の契約プランを、前記利用料金が最も安くなる料金プランに変更するように指示する構成を採用できる。この場合、契約プランを自動的に変更することで、利用者は、支払う利用料金を節約することができる。
【００１７】
本発明の最適料金プラン通知システム、方法、及び、プログラムは、利用料金が最も安くなる料金プランの通知では、利用料金が最も安くなる料金プランでの前記料金計算開始日から末日までの分の利用料金を、前記利用者に通知する構成を採用できる。この場合、利用者は、契約プランを変更した際の利用料金を知ることができる。
【００１８】
本発明の最適料金プラン通知システム、方法、及び、プログラムでは、利用者からの要求に応答して、前記利用実績情報を取得する構成を採用できる。また、本発明の最適料金プラン通知システム、方法、及び、プログラムでは、定期的に、前記利用実績情報を取得する構成を採用することができる。
【発明の効果】
【００１９】
本発明の最適料金プラン通知システム、方法、及び、プログラムでは、利用者の所定期間における利用実績に基づいて、利用者が選択可能な各料金プランについて、料金計算開始日から末日までの間の利用料金を計算する。このように、本発明では、利用者の所定期間における利用実績にもとづいて、料金計算期間における利用料金を計算するので、利用者は、任意の時点で、各料金プランについて、料金計算期間における利用料金を知ることができる。また、計算された料金が最も安くなる料金プランを利用者に通知することで、利用者は、料金計算期間単位で、利用料金を最も安くできる料金プランを知ることができる。
【発明を実施するための最良の形態】
【００２０】
以下、図面を参照し、本発明の実施の形態を詳細に説明する。図１は、本発明の一実施形態の最適料金プラン通知システムの構成を示している。最適料金プラン通知システム１００は、最適プラン算出サーバ１０、利用情報蓄積サーバ２０、加入者契約管理サーバ３０、及び、メールサーバ４０を有する。これら各サーバは、プログラム動作により所定の機能を実現するコンピュータで構成される。
【００２１】
利用情報蓄積サーバ２０には、携帯電話利用者の利用実績が蓄積されている。より詳細には、利用者の通話ごとの利用日時及び通話時間や、データ通信（パケット通信）の利用日時や通信パケット量などの情報が蓄積されている。加入者契約管理サーバ３０は、利用者の契約料金プランを管理する。最適プラン算出サーバ１０は、利用者からの求めに応じて、或いは、自動的に、利用情報蓄積サーバ２０から利用実績を取得して、利用者が選択可能な各料金プランについて、利用者のひと月分の利用料金の予想額を算出し、利用者が支払う料金が最も安くなる料金プラン（以下、最適料金プランとも呼ぶ）を割り出す。メールサーバ４０は、電子メールにより、最適料金プラン、及び、ひと月分の利用料金の予想額を、ユーザに通知する。
【００２２】
図２に、最適プラン算出サーバ１０の構成を示す。最適プラン算出サーバ１０は、実績取得部１１、料金試算部１２、プラン比較部１３、及び、通知部１４を有する。実績取得部１１は、利用情報蓄積サーバ２０から、所定期間の利用者の利用実績情報を取得する。この所定期間は、利用者によって任意に設定可能とする。料金試算部１２は、実績取得部１１が取得した所定期間の利用実績情報を利用して、各料金プランについて、利用者のひと月分の利用料金の予想額を計算する。このとき、利用者が選択可能なオプションがあるときには、そのオプションを適用したときの料金についても計算する。
【００２３】
プラン比較部１３は、料金試算部１２で計算された各料金プランでの料金を比較し、料金が最も安くなる料金プランを割り出す。また、加入者契約管理サーバ３０に、利用者の現在の契約プランを問い合わせ、現在の契約プランと、料金が最も安くなるプランとが、一致するか否かを判断する。通知部１４は、プラン比較部１３にて、現在の契約プランと料金が最も安くなるプランとが一致しないと判断されると、現在の契約プランよりも利用料金が安くなる料金プランがある旨を、メールサーバ４０を介して利用者に通知する。
【００２４】
図３は、最適料金プラン通知システム１００の動作手順を示している。実績取得部１１は、利用者からの利用状況確認要求に応答して、利用情報蓄積サーバ２０から、所定期間における利用実績情報を取得する（ステップＳ１）。ステップＳ１では、実績取得部１１は、例えば直近の一週間における利用者の通話時間、及び、パケット通信量を取得する。実績取得部１１が、利用者の実績情報を取得するタイミングは、利用者の通話終了時や、所定の期日となったときなどでもよく、任意である。
【００２５】
料金試算部１２は、実績取得部１１が取得した利用実績情報と、各料金プランでの単位時間当たりの通話料金及び単位データ量あたりのデータ通信料とに基づいて、所定の期間内の利用状況から予想される各料金プランでのひと月分の利用料金を試算する（ステップＳ２）。料金試算部１２は、例えば、実績取得部１１が取得した直近の一週間における利用者の通話時間実績から、一日あたりの通話時間を割り出し、その通話時間に、各プランでの単位時間当たりの通話料金を乗算することで一日当たりの料金を計算し、一日当たりの料金に料金計算期間の開始日から末日までの日数「３０」を乗算して、ひと月分の通話料金を試算する。
【００２６】
また、ステップＳ２の利用料金の試算では、家族契約の契約の有無、或いは、コンテンツ資料料金などを考慮して、利用料金の予想額を計算する。料金プランに無料通話分が含まれる場合には、それも考慮する。プランごとの単位時間当たりの通話料金などは、各プランでの料金計算の元となる情報を管理する記憶装置（図示せず）から取得する。或いは、そのような情報を加入者契約管理サーバ３０内の記憶装置内に記憶しておき、加入者契約管理サーバ３０から取得してもよい。
【００２７】
プラン比較部１３は、料金試算部１２が試算した各料金プランでの料金試算結果を比較し、料金が最も安くなるプラン（最適料金プラン）を割り出す（ステップＳ３）。また、加入者契約管理サーバ３０に、利用者の現在の契約プランを問い合わせ、現在の契約プランと、最適料金プランとが一致するか否かを判断する（ステップＳ４）。通知部１４は、現在の契約プランと最適料金プランとが一致しないときには、メールサーバ４０を介して、現在の契約プランよりも料金を安くできる料金プランがある旨を知らせる電子メールを送信する（ステップＳ５）。ステップＳ５で送信する電子メールには、例えば、最適料金プラン、現在の契約プランでの当月分の利用料金の予想額、及び、最適料金プランに変更した場合の利用料金の予想額を含める。また、一致するときには、メールサーバ４０を介して、当月分の利用料金の予想額と、現在の契約プランが最適料金プランである旨を知らせる電子メールを、利用者に送信する（ステップＳ６）。
【００２８】
本実施形態では、最適プラン算出サーバ１０は、利用情報蓄積サーバ２０から、利用者の利用状況を取得し、取得した利用状況を利用して、ひと月分の利用料金の予想額を計算する。このようにすることで、利用者は、携帯電話会社が料金計算する末日まで待たなくても、当月分の利用料金の近い額を知ることができる。また、最適料金プランを、末日まで待たなくても知ることができ、プラン変更の手続きを早く行うことができ、無駄な出費を抑えることができる。更に、携帯電話会社の立場から見ると、このようなサービスを提供することで顧客満足度を向上させることができ、加入者増を見込むことができる。
【００２９】
上記では、ステップＳ２において、所定期間の利用実績に基づいて、一日当たりの利用料金を算出し、それにひと月分の日数をかけてひと月分の利用料金の予想額を算出したが、料金プランやオプションでは、変更後のプラン等の料金が適用されるのは、変更後の通話等に限られる場合もある。そのような場合には、ステップＳ２にて、当日分までについては現在の契約プランで計算した料金を求め、当日以降については、変更後の料金プランにて、利用料金の予想額を計算し、両者を合わせて、当月分の利用料金の予想額とすればよい。
【００３０】
また、ステップＳ５にて、利用者に最適料金プランを通知するだけでなく、自動的に、契約プランを変更する構成としてもよい。携帯電話会社によっては、変更設定時から料金プランを変更することが可能であり、現在の契約プランよりも料金を安くできる料金プランがあるときには、その料金プランに変更することで、利用者は、無駄な出費を抑えることができる。この場合、携帯電話会社は、料金収入が減少することが考えられるので、このような契約プラン自動変更のサービス提供に当たっては、例えば月額使用料金を設定するなどして、契約プラン自動変更のサービスを提供すればよい。
【００３１】
以上、本発明をその好適な実施形態に基づいて説明したが、本発明の最適料金プラン通知システム、方法、及び、プログラムは、上記実施形態にのみ限定されるものではなく、上記実施形態の構成から種々の修正及び変更を施したものも、本発明の範囲に含まれる。
【図面の簡単な説明】
【００３２】
【図１】本発明の一実施形態の最適料金プラン通知システムを示すブロック図。
【図２】最適プラン算出サーバの構成を示すブロック図。
【図３】最適料金プラン通知システムの動作手順を示すフローチャート。
【符号の説明】
【００３３】
１００：最適料金プラン通知システム
１０：最適プラン算出サーバ
１１：実績取得部
１２：料金試算部
１３：プラン比較部
１４：通知部
２０：利用情報蓄積サーバ
３０：加入者契約管理サーバ
４０：メールサーバ
【図１】
2008211437.tif 000003
【図２】
2008211437.tif 000004
【図３】
2008211437.tif 000005